(57)【要約】【課題】クレーンを用いずに、底開き式コンテナを持ち上げて移動させるとともに、底開き式コンテナの底壁の搬出口を開閉させ得る底開き式コンテナ収集物搬出装置を提供すること。【解決手段】底開き式コンテナ収集物搬出装置１００は、第１吊具２１１に対する第２吊具２３２の上下方向の相対位置に応じて底壁２２０の搬出口２２２を開閉する底開き式コンテナ２００対して取り付け可能で、フォークリフト３００により持ち上げられることができる基体部１１０と、基体部１１０が備える、第１連結部Ｗ１が第１吊具２１１を連結して吊り上げ可能で、かつ、第２連結部Ｗ２Ｂ，Ｗ２Ｆが第２吊具２３２Ｂ，（２３２Ｆ）を連結して吊り上げ可能なときに、第１連結部Ｗ１および第２連結部Ｗ２Ｂ，Ｗ２Ｆのうちの少なくとも一方を上下方向に動かす上下動によって相対位置を変更できる上下動機構１２０と、を備える。【選択図】  図１
2020114761.tif 000002
【特許請求の範囲】
【請求項１】
開閉可能な搬出口を底壁に有する箱であり、当該箱に設けられた第１吊具と、当該第１吊具に対する上下方向の相対位置を変更できる態様で前記箱に設けられた第２吊具と、前記相対位置に応じて前記搬出口の開閉の度合いを変化させる開閉機構と、を備える底開き式コンテナに対して取り付けることが可能な底開き式コンテナ収集物搬出装置であって、
フォークリフトにより持ち上げられた持ち上げ状態とすることが可能な基体部を備え、
前記基体部は、
前記第１吊具に対して連結可能とされ、かつ、当該第１吊具に連結されているときには当該第１吊具を吊り上げ可能な第１連結部と、
前記第２吊具に対して連結可能とされ、かつ、当該第２吊具に連結されているときには当該第２吊具を吊り上げ可能な第２連結部と、
前記第１連結部が前記第１吊具に連結されている状態であり、かつ、前記第２連結部が前記第２吊具に連結されている状態である連結状態にあるときに、前記第１連結部および前記第２連結部のうちの少なくとも一方を上下方向に動かす上下動が可能な上下動機構と、を備え、
当該上下動機構は、前記連結状態にあるときに、前記上下動によって前記相対位置を変更できる、底開き式コンテナ収集物搬出装置。
【請求項２】
請求項１に記載された底開き式コンテナ収集物搬出装置であって、
前記第１連結部および前記第２連結部のうちの少なくとも一方は、曲げ伸ばしが可能に構成された線状体を備える、底開き式コンテナ収集物搬出装置。
【請求項３】
請求項２に記載された底開き式コンテナ収集物搬出装置であって、
前記線状体は、巻き取り可能に構成され、
前記上下動機構は、前記線状体が取り付けられて、当該線状体の巻き取りおよび巻き戻しが可能に構成されていると共に、前記連結状態においては、前記線状体の巻き取りおよび巻き戻しによって前記上下動を実現させる、底開き式コンテナ収集物搬出装置。
【請求項４】
請求項１から請求項３のいずれか１項に記載の底開き式コンテナ収集物搬出装置であって、
前記開閉機構が、前記第２吊具の前記相対位置が下側になるにつれ前記搬出口が開くよう構成されているものである場合に、
前記上下動機構は、前記上下動において、前記第１連結部を前記第１吊具および前記箱と一緒に上下させることで、前記相対位置の変更を実現させる、底開き式コンテナ収集物搬出装置。
【発明の詳細な説明】
【技術分野】
【０００１】
本発明は、底開き式コンテナを移動させるとともに、底開き式コンテナの底壁の搬出口を開閉させ得る底開き式コンテナ収集物搬出装置に関する。
【背景技術】
【０００２】
廃棄物や資材等の収集物を効率よく収集して運搬するために底開き式コンテナが用いられている。例えば、特許文献１に記載されている底開き式コンテナは、開閉可能な搬出口を底壁に有する箱である。そして、この底開き式コンテナは、第１吊具と、第１吊具に対する上下方向の相対位置を変更できる態様で設けられた第２吊具と、この第２吊具の相対位置に応じて搬出口の開閉の度合いを変化させる開閉機構と、を備えている。また、この底開き式コンテナは、上側には上記の収集物を入れるための開口を有している。
【０００３】
底開き式コンテナの内部に収集物が溜まったら、収集物を搬出する搬出作業が行われる。この搬出作業では、まず、底開き式コンテナを、底壁の搬出口を閉じた状態に保ったまま、設置場所から持ち上げて、内部の収集物を搬出する搬出場所（例えば、特許文献１では、焼却炉ホッパー）の上に底開き式コンテナを移動させる。さらに、底開き式コンテナの底壁の搬出口を開き、収集物を底開き式コンテナの内部から搬出場所に落として搬出する。上記の搬出作業は、特許文献１に開示されている技術では、クレーンを用いて行われている。
【先行技術文献】
【特許文献】
【０００４】
【特許文献１】実開昭４９−８５８７１号公報
【発明の概要】
【発明が解決しようとする課題】
【０００５】
しかし、上記の様にクレーンを用いて底開き式コンテナの収集物の搬出作業を行う場合、底開き式コンテナの設置場所の上方には、底開き式コンテナの上方にクレーンが侵入できる空間が確保されている必要がある。従って、底開き式コンテナの設置場所が、その上方にクレーンが侵入できる空間を確保できる場所に限られるという問題があった。
【０００６】
本発明は、上述した問題を解決するものとして創案されたものであり、本発明が解決しようとする課題は、クレーンを用いずに、底開き式コンテナを持ち上げて移動させるとともに、底開き式コンテナの底壁の搬出口を開閉させ得る底開き式コンテナ収集物搬出装置を提供することにある。
【課題を解決するための手段】
【０００７】
本発明の一つの特徴は、開閉可能な搬出口を底壁に有する箱であり、当該箱に設けられた第１吊具と、当該第１吊具に対する上下方向の相対位置を変更できる態様で前記箱に設けられた第２吊具と、前記相対位置に応じて前記搬出口の開閉の度合いを変化させる開閉機構と、を備える底開き式コンテナに対して取り付けることが可能な底開き式コンテナ収集物搬出装置であって、フォークリフトにより持ち上げられた持ち上げ状態とすることが可能な基体部を備え、前記基体部は、前記第１吊具に対して連結可能とされ、かつ、当該第１吊具に連結されているときには当該第１吊具を吊り上げ可能な第１連結部と、前記第２吊具に対して連結可能とされ、かつ、当該第２吊具に連結されているときには当該第２吊具を吊り上げ可能な第２連結部と、前記第１連結部が前記第１吊具に連結されている状態であり、かつ、前記第２連結部が前記第２吊具に連結されている状態である連結状態にあるときに、前記第１連結部および前記第２連結部のうちの少なくとも一方を上下方向に動かす上下動が可能な上下動機構と、を備え、当該上下動機構は、前記連結状態にあるときに、前記上下動によって前記相対位置を変更できる、底開き式コンテナ収集物搬出装置である。
【０００８】
上記の構成によれば、上記の連結状態かつ持ち上げ状態にすることで、フォークリフトを用い、底開き式コンテナを持ち上げて移動させることができ、さらに底開き式コンテナの底壁の搬出口を開閉させ得る。従って、底開き式コンテナ収集物搬出装置は、クレーンを用いずに、底開き式コンテナを持ち上げて移動させるとともに、底開き式コンテナの底壁の搬出口を開閉させ得る。
【０００９】
次に、他の特徴によると、上記の底開き式コンテナ収集物搬出装置において、前記第１連結部および前記第２連結部のうちの少なくとも一方は、曲げ伸ばしが可能に構成された線状体を備えることが好ましい。これにより、曲げ伸ばし可能な線状体を備えている、第１連結部および第２連結部の少なくとも一方の連結部と、この連結部に対応する底開き式コンテナの第１吊具および第２吊具の少なくとも一方の吊具と、を連結させることが、線状体を曲げ伸ばすことにより容易となる。なお、線状体として、例えば、索状体、鎖状体もしくは帯状体、またはこれらの組み合わせた形状を挙げることができる。
【００１０】
次に、他の特徴によると、上記の底開き式コンテナ収集物搬出装置において、前記線状体は、巻き取り可能に構成され、前記上下動機構は、前記線状体が取り付けられて、当該線状体の巻き取りおよび巻き戻しが可能に構成されていると共に、前記連結状態においては、前記線状体の巻き取りおよび巻き戻しによって前記上下動を実現させることが好ましい。これにより、底開き式コンテナ収集物搬出装置は、上下動機構が線状体の巻き取りや巻き戻しを行うだけで上下動を行うことができる。従って、底開き式コンテナ収集物搬出装置の上下動機構に上下動を行わせて底開き式コンテナの搬出口を開閉させることをより一層容易にし得る。
【００１１】
次に、他の特徴によると、上記の底開き式コンテナ収集物搬出装置において、前記開閉機構が、前記第２吊具の前記相対位置が下側になるにつれ前記搬出口が開くよう構成されているものである場合に、前記上下動機構は、前記上下動において、前記第１連結部を前記第１吊具および前記箱と一緒に上下させることで、前記相対位置の変更を実現させることが好ましい。
【００１２】
上記の構成により、上下動機構が、第１連結部を、第１吊具と、第１吊具が設けられている底開き式コンテナの箱の部分と、一緒に上に移動させるにつれ、第１吊具に対する第２吊具の相対位置は下側になり、底開き式コンテナの搬出口が開く度合いが大きくなる。このため、底開き式コンテナの内部に収集された収集物を、搬出口を開いて搬出口から搬出するとき、第１連結部を第１吊具が設けられている底開き式コンテナの箱の部分と一緒に上に移動させれば、搬出口を開けることができる。ここで、底開き式コンテナの底壁の搬出口が開くとともに、底開き式コンテナの箱の部分の底壁が上に持ち上げられるため、収集物を底開き式コンテナの中から搬出するために搬出口を開けるときに、底壁の下に存在するものに搬出口が蓋をされることが少なくなる。
【発明の効果】
【００１３】
本発明の底開き式コンテナ収集物搬出装置は、上記の構成をもつことより、クレーンを用いずに、底開き式コンテナを持ち上げて移動させるとともに、底開き式コンテナの底壁の搬出口を開閉させ得る。
【図面の簡単な説明】
【００１４】
【図１】実施形態１に係る底開き式コンテナ収集物搬出装置の構成の概要を示す説明図である。
【図２】実施形態１に係る底開き式コンテナ収集物搬出装置が、フォークリフトに取り付けられており、さらに、底開き式コンテナを保持している状態の模式的な側面図の１例である。
【図３】実施形態１に係る底開き式コンテナ収集物搬出装置が、フォークリフトに持ち上げられており、さらに、底開き式コンテナを保持している状態の模式的な側面図の１例である。
【図４】施形態１に係る底開き式コンテナ収集物搬出装置が、フォークリフトに持ち上げられており、さらに、底開き式コンテナを保持している状態において、第１ワイヤ巻取機が第１ワイヤを巻き戻した状態の１例を示す図である。
【図５】施形態１に係る底開き式コンテナ収集物搬出装置が、フォークリフトに取り付けられており、さらに、底開き式コンテナを保持している状態において、第１ワイヤ巻取機が第１ワイヤを巻き取った状態の１例を示す図である。
【図６】実施形態２に係る底開き式コンテナ収集物搬出装置の構成を説明する説明図である。
【図７】実施形態３に係る底開き式コンテナ収集物搬出装置の構成を説明する説明図である。
【図８】実施形態１に係る底開き式コンテナ収集物搬出装置の構成を説明する説明図である。
【発明を実施するための形態】
【００１５】
＜１．実施形態１の底開き式コンテナ収集物搬出装置１００（図１〜図５）＞
本発明を実施するための実施形態１に係る底開き式コンテナ収集物搬出装置１００について、以下、図面を用いて説明する。図１および図２に示すように、本実施形態の底開き式コンテナ収集物搬出装置１００は、フォークリフト３００のフォーク３１０に取り付け、さらに、底開き式コンテナ２００を吊って保持させることにより、底開き式コンテナ２００をフォークリフト３００に吊って運ぶことを可能にするものである。なお、以下の説明および図面に記載の方向は、図１および図２に示すように、フォークリフト３００のフォーク３１０に、底開き式コンテナ収集物搬出装置１００を取り付け、さらに、底開き式コンテナ２００を吊ったときにおいて、フォークリフト３００のフォーク３１０の先端から付け根に向かう方向を前方とし、前方の反対方向を後方とすると共に、この後方および前方に基づき、上方、下方、左方、右方を定める。前方、後方、上方、下方、左方、右方の各方向が記載されているすべての図において、各方向は同一の方向を示し、以下の説明において方向に関する記述はこれらの方向を基準とすることがある。また、以下の説明において、底開き式コンテナ収集物搬出装置１００、底開き式コンテナ２００、フォークリフト３００の付随的な構成については、その図示および詳細な説明を省略する。
【００１６】
＜１−１．底開き式コンテナ収集物搬出装置１００の構成（図１〜図３）＞
以下で詳細を説明する底開き式コンテナ２００は、開閉可能な搬出口２２２を底壁２２０に有する箱であり、当該箱に設けられた第１吊具２１１と、第１吊具２１１に対する上下方向の相対位置を変更できる態様で上記箱に設けられた第２吊具２３２Ｆ，２３２Ｂと、上記相対位置に応じて搬出口２２２の開閉の度合いを変化させる開閉機構２４０と、を備える。ここで、開閉機構２４０は、第２吊具２３２Ｆ，２３２Ｂの上記相対位置が下側になるにつれ搬出口２２２が開くよう構成されている。
【００１７】
本実施形態の底開き式コンテナ収集物搬出装置１００は、上記の底開き式コンテナ２００に対して取り付けることが可能な底開き式コンテナ収集物搬出装置１００である。底開き式コンテナ収集物搬出装置１００は、フォークリフトにより持ち上げられた持ち上げ状態とすることが可能な基体部１１０を備える。基体部１１０は、第１吊具２１１に対して連結可能とされ、かつ、第１吊具２１１に連結されているときには第１吊具２１１を吊り上げ可能な第１ワイヤＷ１（第１連結部）と、第２吊具２３２Ｆ，２３２Ｂに対して連結可能とされ、かつ、第２吊具２３２Ｆ，２３２Ｂに連結されているときには第２吊具２３２Ｆ，２３２Ｂを吊り上げ可能な第２ワイヤＷ２Ｆ，Ｗ２Ｂ（第２連結部）と、第１ワイヤＷ１（第１連結部）が第１吊具２１１に連結されている状態であり、かつ、第２ワイヤＷ２Ｆ，Ｗ２Ｂ（第２連結部）が第２吊具２３２Ｆ，２３２Ｂに連結されている状態である連結状態にあるときに、第１ワイヤＷ１（第１連結部）および第２ワイヤＷ２（第２連結部）のうちの少なくとも一方を上下方向に動かす上下動が可能な第１ワイヤ巻取機１２０（上下動機構）を備える。第１ワイヤ巻取機１２０（上下動機構）は、上記連結状態にあるときに、上下動によって相対位置を変更できる。
【００１８】
また、第１ワイヤＷ１（第１連結部）および第２ワイヤＷ２（第２連結部）のうちの少なくとも一方は、曲げ伸ばしが可能に構成された線状体（ワイヤ部Ｗ１１，Ｗ２Ｂ１，Ｗ２Ｆ１）を備える。また、ワイヤ部Ｗ１１（線状体）は、巻き取り可能に構成され、第１ワイヤ巻取機１２０（上下動機構）は、ワイヤ部Ｗ１１（線状体）が取り付けられてワイヤ部Ｗ１１（線状体）の巻き取りおよび巻き戻しが可能に構成されていると共に、上記の連結状態においては、ワイヤ部Ｗ１１（線状体）の巻き取りおよび巻き戻しによって上記の上下動を実現させる。また、開閉機構２４０が、第２吊具２３２Ｆ，２３２Ｂの相対位置が下側になるにつれ搬出口２２２が開くよう構成されているものである場合に、第１ワイヤ巻取機１２０（上下動機構）は、上記上下動において、第１ワイヤＷ１（第１連結部）を第１吊具２１１および上記箱と一緒に上下させることで、相対位置の変更を実現させる。
【００１９】
＜１−１−１．底開き式コンテナ２００の構成（図１〜図３）＞
図１に示すように、底開き式コンテナ２００は、上壁２１０と、底壁２２０と、側壁２３０とを備えており、前後方向および左右方向に対称に構成されている。図１に示すように、上壁２１０の中央部には、環状に形成された第１吊具２１１が設けられている。また、図１に示すように、上壁２１０の右側には、左端にてヒンジ連結されている（不図示）ことで開閉可能とされた板状の扉２１２Ｒと、この扉２１２Ｒを開閉しやすくするための取手２１３Ｒとが設けられている。ここで、扉２１２Ｒを開くことで、開口２１４Ｒが開くように構成されている。底開き式コンテナ２００は、上記の右側と同様の構成を左側に備えており、上壁２１０の左側に、板状の扉２１２Ｌと、取手２１３Ｌと、扉２１２Ｌを開くことで開く開口２１４Ｌと、を備えている。以上で説明した上壁２１０の扉２１２Ｒ、２１２Ｌを開いて、開口２１４Ｒ、２１４Ｌから廃棄物や資材等の収集物を底開き式コンテナ２００の内部に入れて、収集物を底開き式コンテナ２００の内部に溜めることができる。
【００２０】
底壁２２０は、図１および図２に示すように、左右方向中央から右側の板状の底壁右部２２１Ｒと、左側の板状の底壁左部２２１Ｌとを備えている。底壁右部２２１Ｒは、図２に示すように、その右端で側壁２３０とヒンジ連結されており、同様に、底壁左部２２１Ｌは、その左端で側壁２３０とヒンジ連結されている。また、図２に示すように、これらのヒンジを中心に、底壁右部２２１Ｒおよび底壁左部２２１Ｌのそれぞれが回転することで、底壁右部２２１Ｒおよび底壁左部２２１Ｌの間の開口（以下、「搬出口２２２」とも称する）が開閉する。図２および図３には、底壁２２０の搬出口２２２が閉じた閉鎖状態を実線で示し、開いた開放状態を２点鎖線（仮想線）で示した。なお、図４および図５を用いて詳細は後述するが、底開き式コンテナ収集物搬出装置１００に底開き式コンテナ２００を吊って保持させているときには、閉鎖状態から開放状態にかけて搬出口２２２の開閉に伴い底開き式コンテナ２００の上壁２１０および側壁２３０は上下に移動する。この様な底開き式コンテナ２００の上下の移動を図２および図３においては省略し、図２および図３では、底開き式コンテナ２００の上壁２１０および側壁２３０の位置は、搬出口２２２の開閉によらないものとして底開き式コンテナ２００を図示した。
【００２１】
側壁２３０は、図１〜図３に示すように、前後対称および左右対称に構成され、前側の前面部２３１Ｆと、後側の後面部２３１Ｂとを備えている。図２に示すように、後面部２３１Ｂは、上下方向に延びるレール２３１Ｂ１と、このレール２３１Ｂ１に嵌められており、レール２３１Ｂ１上で上下に移動可能な第２吊具２３２Ｂと、が設けられている。図２に示すように、第２吊具２３２Ｂは、底壁右部２２１Ｒの後側かつ左側の部分と後右連結棒２４１ＢＲで連結されている。後右連結棒２４１ＢＲは、上側の端部で第２吊具２３２Ｂとヒンジ連結され、下側の端部で底壁右部２２１Ｒとヒンジ連結されており、この様に両端部それぞれで第２吊具２３２Ｂ、底壁右部２２１Ｒとヒンジ連結されている。換言すれば、第２吊具２３２Ｂは、右側では、後右連結棒２４１ＢＲを介して底壁右部２２１Ｒと連結されている。そして第２吊具２３２Ｂは、左側でも同様に、底壁左部２２１Ｌの後側かつ右側の部分と後左連結棒２４１ＢＬを介して連結されている。そして、後左連結棒２４１ＢＬは、両端部それぞれで第２吊具２３２Ｂ、底壁左部２２１Ｌとヒンジ連結されている。
【００２２】
そして、図２に示すように、底壁２２０の搬出口２２２が、図２において実線で示す閉じた閉鎖状態から、同じく２点鎖線（仮想線）で示す開いた開放状態になるよう、底壁右部２２１Ｒおよび底壁左部２２１Ｌそれぞれが左右両端側のヒンジを中心に回転するこができる。この様に、底壁右部２２１Ｒおよび底壁左部２２１Ｌそれぞれが左右両端側のヒンジを中心に回転すると、底壁右部２２１Ｒが下側に移動するにともない、後右連結棒２４１ＢＲは、底壁右部２２１Ｒおよび第２吊具２３２Ｂとヒンジ連結しているため、第２吊具２３２Ｂを下に引っ張る。同様に後左連結棒２４１ＢＬは、底壁左部２２１Ｌが下側に移動するにともない、第２吊具２３２Ｂを下に引っ張る。この様に、底壁右部２２１Ｒおよび底壁左部２２１Ｌが回転して下側に移動するにともない、底壁２２０の搬出口２２２が開くにつれ、後右連結棒２４１ＢＲおよび後左連結棒２４１ＢＬが第２吊具２３２Ｂを下側に引っ張り、第２吊具２３２Ｂは、レール２３１Ｂ１上で下側に移動する。以上では、底壁２２０の搬出口２２２が閉じた閉鎖状態（実線）から開いた開放状態（２点鎖線）になるにつれて、第２吊具２３２Ｂが下側に移動することを説明したが、この逆に、底壁２２０の搬出口２２２が開いた開放状態（２点鎖線）から閉じた閉鎖状態（実線）になるにつれ、第２吊具２３２Ｂは下側から上に移動する。そして、第２吊具２３２Ｂを外部から力を加えて上下に移動させることができるように、第２吊具２３２Ｂは環状の環状部２３２Ｂ１を備えている（図２および図３参照）。
【００２３】
以上では後面部２３１Ｂに関して説明したが、前面部２３１Ｆは、上述した後面部２３１Ｂと同様の構成となっている。より詳しくは、前面部２３１Ｆには、前面部２３１Ｆを上下方向に延びるレール（不図示）と、このレール上で上下に移動可能な第２吊具２３２Ｆ（図３参照）と、第２吊具２３２Ｆおよび底壁右部２２１Ｒを連結する前右連結棒２４１ＦＲ（図３参照）と、第２吊具２３２Ｆおよび底壁左部２２１Ｌを連結する後左連結棒（不図示）とが設けられている。そして、底壁右部２２１Ｒおよび底壁左部２２１Ｌが回転して上下に移動するにともない底壁２２０の搬出口２２２が開閉するにつれ、第２吊具２３２Ｆもレール（不図示）上で上下に移動する。また、第２吊具２３２Ｆは環状の環状部２３２Ｆ１を備えている。
【００２４】
また、第２吊具２３２Ｂ，２３２Ｆの上下方向の位置として、上壁２１０の第１吊具２１１に対する上下方向の相対位置を考えることができる。図２および図３に示すように、第２吊具２３２Ｂ，２３２Ｆは、この上下方向の相対位置が上側から下側に変化するにつれ、底壁２２０の搬出口２２２が閉じた閉鎖状態（実線）から開いた開放状態（２点鎖線）になる。この逆に、第２吊具２３２Ｂ，２３２Ｆは、上下方向の相対位置が下側から上側に移動するにつれ、底壁２２０の搬出口２２２が開いた開放状態（２点鎖線）から閉じた閉鎖状態（実線）になる。ここで、第２吊具２３２Ｂおよび第２吊具２３２Ｆの２つを第２吊具２３２とする。また、底開き式コンテナ２００は、上述した、後右連結棒２４１ＢＲ（図２参照）と、後左連結棒２４１ＢＬ（図２参照）と、前左連結棒（不図示）と、前右連結棒２４１ＦＲ（図３参照）との４つを開閉機構２４０とする。上記の様に、開閉機構２４０は、搬出口２２２の開閉と、第２吊具２３２Ｆ，２３２Ｂの上下の相対位置とを連動させることができる。
【００２５】
＜１−１−２．底開き式コンテナ収集物搬出装置１００の構成（図１〜図３）＞
底開き式コンテナ収集物搬出装置１００は、図１〜図３に示すように、矩形の板状の基体部１１０と、第１ワイヤＷ１と、第２ワイヤＷ２（第２ワイヤＷ２Ｆ，Ｗ２Ｂ）と、フォークリフト３００のリフトブラケット３２０等（図１参照）に係止させることができる係止部１３０と、を備えている。そして、図１に示すようにこれらの第１ワイヤＷ１、第２ワイヤＷ２Ｆ，Ｗ２Ｂ、係止部１３０は、基体部１１０に保持されている。
【００２６】
基体部１１０は、図１〜図３に示すように、フォークリフト３００のフォーク３１０に係合できるフォーク係合部１１１と、第１ワイヤＷ１を巻き取っている第１ワイヤ巻取機１２０と、第１ワイヤＷ１を基体部１１０の上から下へ挿し通すことができる第１ワイヤ挿通穴１１２と、第２ワイヤＷ２（第２ワイヤＷ２Ｆ，第２ワイヤＷ２Ｂ）を取り付けるための第２ワイヤ取付部１１３（第２ワイヤ取付部１１３Ｆ，１１３Ｂ）と、係止部１３０を取り付けるための係止部取付部１１４と、を備えている。また、図１〜図３に示すように、第１ワイヤ巻取機１２０は、基体部１１０の上面に固定されている。
【００２７】
フォーク係合部１１１は、図１〜図３に示すように、基体部１１０を前後に貫通する貫通孔状に形成された、右側の穴状係合部１１１Ｒおよび左側の穴状係合部１１１Ｌを有している。これら穴状係合部１１１Ｒおよび穴状係合部１１１Ｌにおいて、左右方向の位置および断面の形状は、フォークリフト３００のフォーク３１０が差し込むことができるように構成されている。また、これら穴状係合部１１１Ｒおよび穴状係合部１１１Ｌの上下方向の位置は、基体部１１０の概ね中央に設定されている。
【００２８】
図２および図３に示すように、穴状係合部１１１Ｒおよび穴状係合部１１１Ｌにフォーク３１０が差し込まれた状態では、穴状係合部１１１Ｒおよび穴状係合部１１１Ｌは、それぞれの内周面の上側がフォーク３１０の上面に係合する。この様に、穴状係合部１１１Ｒおよび穴状係合部１１１Ｌがフォーク３１０に係合することにより、基体部１１０はフォーク３１０に保持される。これにより、基体部１１０をフォーク３１０で持ち上げて移動させることができ、ひいては、底開き式コンテナ収集物搬出装置１００がフォークリフト３００により持ち上げられた持ち上げ状態とすることが可能となる。
【００２９】
穴状係合部１１１Ｒは、図３および図２に示すように、雌螺子部１１１Ｒ１および雄螺子部１１１Ｒ２を備えている。雌螺子部１１１Ｒ１は、図３に示すように、第１ワイヤ巻取機１２０の下側において、穴状係合部１１１Ｒの内周面の下側から基体部１１０の底面にかけて貫通する貫通孔で、この貫通孔の内周面に雌螺子を備えている。雄螺子部１１１Ｒ２は、雌螺子部１１１Ｒ１の雌螺子に螺合するように、その外表面につるまき線形状の突出であるねじ山が設けられた棒状部材であり、下端に取っ手が設けられている。この様な構成により、雄螺子部１１１Ｒ２が、雌螺子部１１１Ｒ１に螺合し、上下（フォーク３１０の延びる方向に交差する方向）に進退可能となるよう設けられている。
【００３０】
雄螺子部１１１Ｒ２をねじ込み、穴状係合部１１１Ｒに差し込まれたフォーク３１０を雄螺子部１１１Ｒ２によって上側に押圧させることで、フォーク３１０の抜け止めをすることができる。以上は、右側の穴状係合部１１１Ｒの備える雌螺子部１１１Ｒ１および雄螺子部１１１Ｒ２について説明したが、左側の穴状係合部１１１Ｌも同様に、雌螺子部１１１Ｌ１と雄螺子部１１１Ｌ２を備えている。そして、穴状係合部１１１Ｌに差し込まれたフォーク３１０を雄螺子部１１１Ｌ２によって上側に押圧させて、フォーク３１０の抜け止めをすることができる。なお、本実施形態の底開き式コンテナ収集物搬出装置１００は、雌螺子部１１１Ｒ１、雄螺子部１１１Ｒ２、雌螺子部１１１Ｌ１、雄螺子部１１１Ｌ２を必ずしも備えなくてもよい。
【００３１】
第１ワイヤ挿通穴１１２は、図３および図２に示すように、基体部１１０の上面に固定された第１ワイヤ巻取機１２０に巻き取られた第１ワイヤＷ１を、基体部１１０の上から下へ挿し通すことができるように、基体部１１０の上から下へ貫通している貫通孔状に形成されている。
【００３２】
第２ワイヤ取付部１１３は、図３に示すように、基体部１１０前面側の第２ワイヤ取付部１１３Ｆおよび後面側の第２ワイヤ取付部１１３Ｂを有している。図３および図１に示すように、後側の第２ワイヤ取付部１１３Ｂは、基体部１１０の穴状係合部１１１Ｒと穴状係合部１１１Ｌとの間の領域において、基体部１１０の後面から外側（後側）に突出した環状に設けられている。また、第２ワイヤ取付部１１３Ｂと同様に、第２ワイヤ取付部１１３Ｆは、基体部１１０の前面から外側（前側）に突出した環状に設けられている（図３参照）。以上の様に、第２ワイヤ取付部１１３Ｆおよび第２ワイヤ取付部１１３Ｂは、基体部１１０の前後に突出した環状に設けられている（図３参照）。
【００３３】
係止部取付部１１４は、基体部１１０の後部から伸びだされたワイヤー状の係止部１３０（図１および図３参照）を取り付けられるように（図３参照）、基体部１１０の後面に設けられた窪み（不図示）の中に環状に形成されている。係止部１３０は、図１および図３に示すように、ワイヤー状に形成され、前側を係止部取付部１１４に取り付け、後側で例えば輪１３１にし、フォークリフト３００のリフトブラケット３２０（図１参照）等のフォーク３１０を支持する部材に係止（図３参照）させることができる。図３に示すように、この様に係止部１３０で係止することで、基体部１１０のフォーク係合部１１１（１１１Ｒ，１１１Ｌ）がフォーク３１０から外れることを抑止し得る。なお、本実施形態では、係止部１３０は、ワイヤー状としたが、係止部１３０の形状を線状体（例えば、索状体、鎖状体もしくは帯状体、またはこれらの組み合わせた形状）にしてもよい。また、本実施形態の底開き式コンテナ収集物搬出装置１００は、係止部取付部１１４および係止部１３０を必ずしも備えなくてもよい。
【００３４】
第１ワイヤ巻取機１２０は、図１〜図２に示すように、基体部１１０の上面の左右方向中央部に固定されており、第１ワイヤＷ１のワイヤ部Ｗ１１を巻き取っている。図３および図１に示すように、第１ワイヤ巻取機１２０は、ワイヤ部Ｗ１１を巻き取り可能なドラム部１２１と、ドラム部１２１を回転させるモータ部１２２と、モータ部１２２の回転を制御する有線式のリモコン１２３を備えている。第１ワイヤ巻取機１２０は、リモコン１２３の指示により、モータ部１２２の回転開始や停止、回転方向等を切り替えることができる。これにより、第１ワイヤ巻取機１２０のドラム部１２１は回転が制御され、ドラム部１２１に巻かれた第１ワイヤＷ１のワイヤ部Ｗ１１の巻き取りおよび巻き戻し、およびこれらの停止が行われる。なお、図１〜図３に示すように、本実施形態ではリモコン１２３を有線式リモコンとしたが、無線式リモコンにしてもよい。
【００３５】
第１ワイヤＷ１は、図３に示すように、ワイヤ部Ｗ１１と、ワイヤ部Ｗ１１の下端に取り付けられたフック状の第１フックＷ１２とを備えている。ワイヤ部Ｗ１１は、第１ワイヤ巻取機１２０のドラム部１２１に巻き取られており、ドラム部１２１に巻き取られることで、第１ワイヤ巻取機１２０を介して基体部１１０に取り付けられている。また、ワイヤ部Ｗ１１は、ドラム部１２１から下に延び、基体部１１０の第１ワイヤ挿通穴１１２に挿し通されて、基体部１１０の下に延びている。ワイヤ部Ｗ１１の下端の第１フックＷ１２は、底開き式コンテナ２００の第１吊具２１１に引っ掛けて連結させることができ、これにより、底開き式コンテナ収集物搬出装置１００が底開き式コンテナ２００を吊り上げることができる。そして上記の様に、第１ワイヤ巻取機１２０は、第１ワイヤＷ１のワイヤ部Ｗ１１を巻き取ることも巻き戻すこともできる。
【００３６】
第２ワイヤＷ２は、図１〜図３に示すように、前側の第２ワイヤＷ２Ｆと、後側の第２ワイヤＷ２Ｂとの２つで構成されている。そして、図１〜図３に示すように、後側の第２ワイヤＷ２Ｂは、ワイヤ部Ｗ２Ｂ１と、ワイヤ部Ｗ２Ｂ１の下端部に取り付けられた第２フックＷ２Ｂ２とを備えている。ワイヤ部Ｗ２Ｂ１は、上端部が基体部１１０の第２ワイヤ取付部１１３Ｂに取り付けられている。第２フックＷ２Ｂ２は、底開き式コンテナ２００の第２吊具２３２Ｂに引っ掛けて連結させることができる。図３に示すように、第２ワイヤＷ２Ｂと同様に、第２ワイヤＷ２Ｆは、ワイヤ部Ｗ２Ｆ１および第２フックＷ２Ｆ２を備えている。図３に示すように、ワイヤ部Ｗ２Ｆ１は上端部で第２ワイヤ取付部１１３Ｆに取り付けられており、第２フックＷ２Ｆ２は、底開き式コンテナ２００の第２ワイヤ取付部１１３Ｆに引っ掛けて連結させることができる。また、以上で説明した様に、第２フックＷ２Ｆ２，Ｗ２Ｂ２を、底開き式コンテナ２００の第２ワイヤ取付部１１３Ｆ，１１３Ｂに引っ掛けて連結させて、底開き式コンテナ２００を吊り上げることができる。
【００３７】
以上で説明した、第２ワイヤＷ２Ｆのワイヤ部Ｗ２Ｆ１、第２ワイヤＷ２Ｂのワイヤ部Ｗ２Ｂ１は、いずれも線状体の一種のワイヤで形成されているが、これらは曲げ伸ばしが可能な線状体で形成されていればよい。また、ワイヤ部Ｗ１１は、曲げ伸ばしが可能であり、さらに、巻き取り可能な線状体で形成されていればよい。ワイヤ部Ｗ１１を形成する材質で、ワイヤ部Ｗ２Ｆ１，Ｗ２Ｂ１を形成することができる。ワイヤ部Ｗ１１に用いることができる、曲げ伸ばしが可能であり、さらに、巻き取り可能な線状体として、例えば、索状体、鎖状体もしくは帯状体、またはこれらの組み合わせた形状を挙げることができる。ここで、索状体としては、例えば天然繊維製または合成繊維製のロープなどが好適に使用できる。天然繊維製のロープの代表例としてはマニラ麻、サイザル麻または木綿からなるロープなどが挙げられる。合成繊維製ロープの代表例としては、ポリアミド製、ポリビニルアルコール製、ポリエステル製、ポリエチレン製、ポリプロピレン製の合成樹脂製ロープなどのほか、これらの混撚ロープなどが挙げられる。また、このようなロープ以外にも、ワイヤーロープなども使用できる。鎖状体としては、例えばローラーチェーン、リンクチェーンなどのチェーンを挙げることができる。また、帯状体としては、天然繊維製または合成樹脂製のベルトが挙げられる。
【００３８】
＜１−２．底開き式コンテナ収集物搬出装置１００を用いたフォークリフト３００の底壁２２０の搬出口２２２の開閉（図３〜図５）＞
図３に示すように、第１ワイヤＷ１によっても、第２ワイヤＷ２Ｆ，Ｗ２Ｂによっても、底開き式コンテナ２００を底開き式コンテナ２００に吊ることができる。そして、図１〜３を用いて上述した様に、底開き式コンテナ収集物搬出装置１００の基体部１１０に固定された第１ワイヤ巻取機１２０が第１ワイヤＷ１を巻き取ることおよび巻き戻すことができる。図４には、第１ワイヤ巻取機１２０が第１ワイヤＷ１を巻き戻した状態の一例が示されている。ただし、図４においては、第１ワイヤＷ１と第２ワイヤＷ２Ｂとが一部で重なっている。図４に示すように、第１ワイヤ巻取機１２０が第１ワイヤＷ１を巻き戻して第１ワイヤＷ１を緩めるにつれ、底開き式コンテナ２００は、第１ワイヤＷ１によって第１吊具２１１で上に吊られる力（図４には、第１吊具２１１の右上の小さい白抜きの矢印で示した）よりも、第２ワイヤＷ２Ｆ，Ｗ２Ｂによって第２吊具２３２Ｂで上に吊られる力（図４には、第２吊具２３２Ｂの左の大きい黒塗りの矢印で示し、図３にも大きい黒塗りの矢印で示した）が大きくなる。
【００３９】
図４および図３に示す様に、第２吊具２３２Ｂが第１吊具２１１よりも強い力で上に引っ張られることで、第２吊具２３２Ｂが後右連結棒２４１ＢＲ，後左連結棒２４１ＢＬを介して底壁右部２２１Ｒ，底壁左部２２１Ｌを上側に引っ張る。以上では、図４を用いて、底開き式コンテナ収集物搬出装置１００および底開き式コンテナ２００の後側について説明したが、前側でも同様に、第２吊具２３２Ｆが前右連結棒２４１ＦＲ（図３参照），前左連結棒（不図示）を介して底壁右部２２１Ｒ，底壁左部２２１Ｌを上側に引っ張る。この様に、第２吊具２３２Ｆ，２３２Ｂが開閉機構２４０（後右連結棒２４１ＢＲ，後左連結棒２４１ＢＬ，前右連結棒２４１ＦＲ，前左連結棒）を介して底壁右部２２１Ｒ，底壁左部２２１Ｌを上側に引っ張ることで、底壁２２０の搬出口２２２が閉じるように底壁２２０に力が働く。
【００４０】
以上の様に、底開き式コンテナ２００の第１ワイヤ巻取機１２０が第１ワイヤＷ１を巻き戻すこと（図４および図３参照）で、底開き式コンテナ２００の底壁２２０の搬出口２２２が閉鎖した閉鎖状態（図４および図３参照）にすることができる。また、この閉鎖状態において、底開き式コンテナ２００は底開き式コンテナ収集物搬出装置１００を介してフォークリフト３００に保持されている。従って、底開き式コンテナ２００の搬出口２２２が閉じた閉鎖状態にしたうえで、底開き式コンテナ２００をフォークリフト３００で持ち上げて移動させることができる。
【００４１】
一方、底開き式コンテナ収集物搬出装置１００の第１ワイヤ巻取機１２０が第１ワイヤＷ１を巻き上げることで、次のように搬出口２２２を開くことができる。図５は、図４に示す状態から、第１ワイヤ巻取機１２０が第１ワイヤＷ１を巻き上げた状態を示している。図５に示すように、第１ワイヤ巻取機１２０が第１ワイヤＷ１を巻き上げることで、第１吊具２１１は、第１フックＷ１２によって上に引っ張られる。これにより、第１ワイヤＷ１（第１連結部）は、第１吊具２１１と、底開き式コンテナ２００の箱の部分（２１０，２２０，２３０）とを一緒に上に持ち上げる。そして、図５に示すように、第１ワイヤ巻取機１２０と、底開き式コンテナ２００の第１吊具２１１との間の距離が縮まる。これに伴い、図５および図３に示す様に、基体部１１０と底開き式コンテナ２００の第２吊具２３２Ｆ，２３２Ｂとの間の第２ワイヤＷ２Ｆ，Ｗ２Ｂが緩められる。
【００４２】
図５に示す様に、第２ワイヤＷ２Ｂが上記の様に緩められても、第２ワイヤＷ２Ｂが引っ掛けられている第２吊具２３２Ｂは、後右連結棒２４１ＢＲ，後左連結棒２４１ＢＬ（開閉機構２４０）を介して、底壁右部２２１Ｒ，底壁左部２２１Ｌにより、下方に引っ張られている。そこで、第２ワイヤＷ２Ｂが緩められるにつれ、第２ワイヤＷ２Ｂが引っ掛けられている第２吊具２３２Ｂは、第１吊具２１１に対して下側に移動する。すなわち、第２吊具２３２Ｂは、第１吊具２１１に対する上下方向の相対位置が下に移動するにつれ、底壁２２０の搬出口２２２が開く。以上では、図５を用いて、底開き式コンテナ収集物搬出装置１００および底開き式コンテナ２００の後側について説明したが、前側でも同様に、第２吊具２３２Ｆも第１吊具２１１に対する上下方向の相対位置が下に移動するについれ、底壁２２０の搬出口２２２が開く。従って、図５に示す様に、第１ワイヤ巻取機１２０が第１ワイヤＷ１を巻き上げることで、第２ワイヤＷ２Ｆ，Ｗ２Ｂが緩められるとともに、開閉機構２４０（後右連結棒２４１ＢＲ，後左連結棒２４１ＢＬ，前右連結棒２４１ＦＲ，前左連結棒（不図示））によって、第２吊具２３２Ｆ，２３２Ｂの相対位置が下側に移動し、底壁２２０の搬出口２２２が開く（図５および図２参照）。
【００４３】
以上で説明した、第１ワイヤ巻取機１２０にワイヤ部Ｗ１１を巻き取りおよび巻き戻しをさせて、底開き式コンテナ２００の底壁２２０の搬出口２２２を開閉させることは、底開き式コンテナ２００が底開き式コンテナ収集物搬出装置１００を介してフォークリフト３００保持された状態であり、上記の連結状態かつ持ち上げ状態にあるときに行うことができる。従って、連結状態かつ持ち上げ状態においては、フォークリフト３００で底開き式コンテナ２００を持ち上げて移動させることができるうえに、底開き式コンテナ２００の底壁２２０の搬出口２２２を開閉させることができる。
【００４４】
＜１−３．底開き式コンテナ収集物搬出装置１００の作用効果（図１〜図５）＞
上記の構成によれば、上記の連結状態かつ持ち上げ状態にすることで、フォークリフト３００を用い、底開き式コンテナ２００を持ち上げて移動させることができ、さらに底開き式コンテナ２００の底壁２２０の搬出口２２２を開閉させ得る。従って、底開き式コンテナ収集物搬出装置１００は、クレーンを用いずに、底開き式コンテナ２００を持ち上げて移動させるとともに、底開き式コンテナ２００の底壁２２０の搬出口２２２を開閉させ得る。
【００４５】
次に、曲げ伸ばし可能な線状体（ワイヤ部Ｗ１１，Ｗ２Ｂ１，Ｗ２Ｆ１）を備えている、第１ワイヤＷ１（第１連結部）および第２ワイヤＷ２（第２連結部）との連結部の少なくとも一方の連結部と、この連結部に対応する底開き式コンテナ２００の第１吊具２１１および第２吊具２３２Ｆ，２３２Ｂの少なくとも一方の吊具と、を連結させることが、線状体（ワイヤ部Ｗ１１、Ｗ２Ｂ１，Ｗ２Ｆ１）を曲げ伸ばすことにより容易となる。なお、前述したが、線状体（ワイヤ部Ｗ１１、Ｗ２Ｂ１，Ｗ２Ｆ１）として、索状体、鎖状体もしくは帯状体、またはこれらの組み合わせた形状を挙げることができる。
【００４６】
次に、底開き式コンテナ収集物搬出装置１００は、第１ワイヤ巻取機１２０（上下動機構）がワイヤ部Ｗ１１（線状体）の巻き取りや巻き戻しを行うだけで上下動を行うことができる。従って、第１ワイヤ巻取機１２０を備えることで、底開き式コンテナ収集物搬出装置１００の第１ワイヤ巻取機１２０（上下動機構）に上下動を行わせて底開き式コンテナ２００の搬出口２２２を開閉させることをより一層容易にし得る。
【００４７】
次に、第１ワイヤ巻取機１２０（上下動機構）が、第１ワイヤＷ１（第１連結部）を、第１吊具２１１と、第１吊具２１１が設けられている底開き式コンテナ２００の箱の部分（２１０，２２０，２３０）と、一緒に上に移動させるにつれ、第１吊具２１１に対する第２吊具２３２Ｆ，２３２Ｂの相対位置は下側になり、底開き式コンテナ２００の搬出口２２２が開く度合いが大きくなる。このため、底開き式コンテナ２００の内部に収集された収集物を、搬出口２２２を開いて搬出口２２２から搬出するとき、第１ワイヤＷ１（第１連結部）を第１吊具２１１が設けられている底開き式コンテナ２００の箱の部分（２１０，２２０，２３０）と一緒に上に移動させれば、搬出口２２２を開けることができる。ここで、底開き式コンテナ２００の底壁２２０の搬出口２２２が開くとともに、底開き式コンテナ２００の箱の部分（２１０，２２０，２３０）の底壁２２０が上に持ち上げられるため、収集物を底開き式コンテナ２００の中から搬出するために搬出口２２２を開けるときに、底壁２２０の下に存在するものに搬出口２２２が蓋をされることが少なくなる。
【００４８】
なお、底開き式コンテナ２００を設置場所から移動することを、単にフォークリフト３００のフォーク３１０で底開き式コンテナ２００を下から持ち上げて行う場合、底開き式コンテナ２００は下から押さえつけられるため、底壁２２０の搬出口２２２を開くことが困難になる。そこで、底開き式コンテナ２００の底壁２２０を下から押さえつけずに移動させるために、従来行われている様に、底開き式コンテナ２００をクレーンで吊って移動させる方法も考えられるが、今度は、底開き式コンテナ２００の設置場所が、上方にクレーンが侵入できる空間を確保できる場所に限られるという問題がある。
【００４９】
これに対して本実施形態では、底開き式コンテナ２００を吊るのは、クレーンの様に底開き式コンテナ２００の上から侵入させるものではなく、下から上に移動させることができるフォーク３１０であるため、底開き式コンテナ２００の設置場所の上に必要とされる空間は、比較的小さくて済むと考えることができる。そして、底開き式コンテナ２００の設置場所が、上方にクレーンが侵入できる空間を確保できる場所に限られない。
【００５０】
また、上記構成により、フォークリフト３００のフォーク３１０がフォーク係合部１１１（穴状係合部１１１Ｒ，１１１Ｌ）に差し込まれた状態において、雄螺子部１１１Ｒ２，１１１Ｌ２をフォーク３１０に向けて移動させて、雄螺子部１１１Ｒ２，１１１Ｌ２によってフォーク３１０を押圧させることで、フォーク３１０を抜け止めさせ得る。
【００５１】
また、上記構成により、底開き式コンテナ収集物搬出装置１００は、フォークリフト３００のリフトブラケット３２０等のフォーク３１０を支持する部材に、基体部１１０から延び出された係止部１３０を係止させる（図３参照）ことで、基体部１１０のフォーク係合部１１１（１１１Ｒ，１１１Ｌ）がフォーク３１０から外れることを抑止し得る。
【００５２】
＜２．その他の実施形態＞
以下で説明するその他の実施形態において、上述した実施形態で説明した底開き式コンテナ収集物搬出装置１００と実質的な構成及び作用が同じとなる箇所については、これらと同一の符号を付して説明を省略し、異なる箇所について詳しく説明することとする。
【００５３】
上述した実施形態１では、第１ワイヤＷ１（第１連結部）の第１フックＷ１２がフック状に形成されており、第１フックＷ１２の第１吊具２１１が環状に形成されている。しかし、第１ワイヤＷ１（第１連結部）と第１吊具２１１とが連結可能であり、かつ、連結しているときに第１ワイヤＷ１（第１連結部）が第１吊具２１１を吊り上げ可能であればよく、第１ワイヤＷ１（第１連結部）および第１吊具２１１の形状は適宜変更できる。
【００５４】
例えば、第１ワイヤＷ１（第１連結部）のワイヤ部Ｗ１１と第１フックＷ１２とを巻き取り可能な程度に柔軟性をもつように、可撓性を備える樹脂で一体に形成してもよい。他には、第１吊具の第１フックＷ１２の部分を環状に形成し、第１吊具２１１をフック状に形成してもよい。また、前述した様に、第１連結部を、索状体の一種の第１ワイヤＷ１だけはなく、線状体として、例えば、索状体、鎖状体もしくは帯状体、またはこれらの組み合わせた形状で構成してもよい。さらに、第１連結部を、線状体に限らず、下端に第１吊具２１１と連結可能なフック等を設けた棒状体や板状体等で構成してもよい。棒状体や板状体としては、鉄製や、アルミニウム製や、カーボン製や、合成樹脂製のものを使用でき、基体部１１０と一体に形成してもよい。その断面形状については、円形、楕円形、矩形、長方形など適宜選択できる。また、第１連結部として、索状体、鎖状体、帯状体、棒状体、および板状体、のいずれか単独で形成することができ、さらに、これらのうちの２種以上を長さ方向に連結して用いることもできる。
【００５５】
また、第１連結部を、棒状体や板状体等で構成した場合、第１連結部の上下動が可能な上下動機構の構成として、例えば、基体部１１０に２つの回転可能なローラを設け、これらのローラに第１連結部を挟み、ローラをモータ等で回転させることで上下動を行う構成にしてもよい。
【００５６】
第１ワイヤＷ１（第１連結部）および第１吊具２１１の形状に関して以上で説明したが、上記と同様の形状の変更を第２ワイヤＷ２（第２連結部、Ｗ２Ｂ，Ｗ２Ｆ）および第２吊具２３２Ｆ，２３２Ｂに適用することできる。さらに以上では、上下動機構の構成は、第１連結部を上下方向に動かす上下動が可能な構成としたが、第２連結部を上下方向に動かす上下動が可能な構成にしてもよい。上下動機構は、前記第１連結部および前記第２連結部のうちの少なくとも一方を上下方向に動かす上下動が可能な構成にすることができる。
【００５７】
＜２−１．実施形態２の底開き式コンテナ収集物搬出装置１１００（図６）＞
上記の実施形態１では、フォークリフト３００のフォーク３１０が上記の底開き式コンテナ収集物搬出装置１００を持ち上げることができるように、底開き式コンテナ収集物搬出装置１００は、フォーク係合部１１１を備えている。そして、フォーク３１０に係合できるように、図１から図３に示すように、フォーク係合部１１１の穴状係合部１１１Ｒ，１１１Ｌは、基体部１１０の前後に貫通する貫通孔状に形成されている。フォーク係合部１１１の形状は、これに限らず、フォークリフト３００のフォーク３１０に対して係合可能であればよい。実施形態２の底開き式コンテナ収集物搬出装置１１００は、図６に示すように、フォーク係合部１１１１として、溝状フォーク係合部１１１１Ｒおよび溝状フォーク係合部１１１１Ｌを備えており、これらは、下面に開口備え、前後方向に延びる溝状に形成されている。そして、フォーク係合部１１１１（溝状フォーク係合部１１１１Ｒ，１１１１Ｌ）の溝に、下側からフォークリフト３００のフォーク３１０をはめあわせることができる。
【００５８】
この様にフォーク係合部１１１１を構成することで、フォーク係合部１１１１（溝状フォーク係合部１１１１Ｒ，１１１１Ｌ）の溝に、下側からフォークリフト３００のフォーク３１０を嵌めるだけで、フォーク係合部１１１１（溝状フォーク係合部１１１１Ｒ，１１１１Ｌ）がフォーク３１０に係合し得る。このため、フォーク３１０とフォーク係合部１１１１（溝状フォーク係合部１１１１Ｒ，１１１１Ｌ）とをより一層容易に係合させ得る。
【００５９】
＜２−２．実施形態３の底開き式コンテナ収集物搬出装置２１００（図７）＞
上記の実施形態１の底開き式コンテナ収集物搬出装置１００は、第１ワイヤ巻取機１２０（上下動機構）が基体部１１０の上側に固定されているが、第１ワイヤ巻取機１２０（上下動機構）を固定する場所は、基体部１１０の上面に限らなくともよく、側面や下面に適宜変更できる。図７には、実施形態３の底開き式コンテナ収集物搬出装置２１００を示した。図７に示すように、本実施形態では、第１ワイヤ巻取機１２０（上下動機構）を基体部１１０の下側に固定させている。また、雌螺子部１１１Ｒ１，雌螺子部１１１Ｌ１（不図示）、雄螺子部１１１Ｒ２，雄螺子部１１１Ｌ２（不図示）を、基体部１１０の前側に設けている（図７参照）。さらに、実施形態１の第２ワイヤＷ２Ｂおよび第２ワイヤＷ２Ｆに替えて、基体部１１０の上面に前後に架け渡されたひとつの第２ワイヤＷ２を備えている。第２ワイヤＷ２はその両端にフック（図示省略）が取り付けられている。
【００６０】
上述した様に、第２ワイヤ取付部１１３Ｂ、１１３Ｆは、共に環状に形成されているが、本実施形態では、これらの環の中に第２ワイヤＷ２が通されていることで、第２ワイヤＷ２が保持されている。この様に、実施形態１の２つの第２ワイヤＷ２Ｆ，Ｗ２Ｂの代わりに、本実施形態ではひとつの第２ワイヤＷ２を用いることで、第２ワイヤ取付部１１３Ｂから底開き式コンテナ２００の第２吊具２３２Ｂにかけての第２ワイヤＷ２の長さと、第２ワイヤ取付部１１３Ｆから底開き式コンテナ２００の第２吊具２３２Ｆにかけての第２ワイヤＷ２の長さとのバランスを、容易に調整し得る。
【００６１】
本発明の底開き式コンテナ収集物搬出装置は、上記の実施形態にて説明した構造、構成、外観、形状等に限定されるものではなく、本発明の要旨を変更しない範囲で種々の変更、追加、削除が可能である。例えば、上述した実施形態１の説明に用いた底開き式コンテナ２００は、第１吊具２１１が上壁２１０の上面に１つ設けられていた。これに限らず、例えば、図８に示すように、第１吊具２１１が、底開き式コンテナ２００の側壁２３０の左面と右面に２つ設けられていてもよい。その場合、図８に示すように、第１ワイヤＷ１を２つに枝分かれさせ、枝分かれしたそれぞれの先端に第１フックＷ１２を設けることができる。これにより、底開き式コンテナ２００の２つ第１吊具２１１を、底開き式コンテナ２００の第１ワイヤＷ１の２つの第１フックＷ１２で吊って連結させることができる。
【００６２】
従って、実施形態１の底開き式コンテナ収集物搬出装置１００は、図８に示す底開き式コンテナ２００に対しても、前述した様に、連結状態かつ持ち上げ状態にし、フォークリフト３００で底開き式コンテナ２００を持ち上げて移動させることができ、そのうえでさらに底開き式コンテナ２００の底壁２２０の搬出口２２２を開閉させ得る。従って、図８に示す底開き式コンテナ２００に対しても、底開き式コンテナ収集物搬出装置１００は、クレーンを用いずに、底開き式コンテナ２００を持ち上げて移動させるとともに、底開き式コンテナ２００の底壁２２０の搬出口２２２を開閉させ得る。以上の例の様に、第１吊具２１１を複数備える底開き式コンテナ２００に対して底開き式コンテナ収集物搬出装置１００を使用する場合、底開き式コンテナ収集物搬出装置１００の構成において、第１ワイヤＷ１を複数枝分かれした構成にすることができる。
【符号の説明】
【００６３】
１００  底開き式コンテナ収集物搬出装置
１１０  基体部
１１１  フォーク係合部
１１１Ｒ  穴状係合部
１１１Ｒ１  雌螺子部
１１１Ｒ２  雄螺子部
１１１Ｌ  穴状係合部
１１１Ｌ１  雌螺子部
１１１Ｌ２  雄螺子部
１１２  第１ワイヤ挿通穴
１１３  第２ワイヤ取付部
１１３Ｆ  第２ワイヤ取付部
１１３Ｂ  第２ワイヤ取付部
１１４  係止部取付部
１２０  第１ワイヤ巻取機（上下動機構）
１２１  ドラム部
１２２  モータ部
１２３  リモコン
１３０  係止部
１３１  輪
Ｗ１  第１ワイヤ（第１連結部）
Ｗ１１  ワイヤ部（線状体）
Ｗ１２  第１フック
Ｗ２  第２ワイヤ（第２連結部）
Ｗ２Ｆ  第２ワイヤ（第２連結部）
Ｗ２Ｆ１  ワイヤ部（線状体）
Ｗ２Ｆ２  第２フック
Ｗ２Ｂ  第２ワイヤ（第２連結部）
Ｗ２Ｂ１  ワイヤ部（線状体）
Ｗ２Ｂ２  第２フック
１１００  底開き式コンテナ収集物搬出装置
１１１１  フォーク係合部
１１１１Ｒ  溝状フォーク係合部
１１１１Ｌ  溝状フォーク係合部
２１００  底開き式コンテナ収集物搬出装置
２００  底開き式コンテナ
２１０  上壁
２１１  第１吊具
２１２Ｒ  扉
２１３Ｒ  取手
２１４Ｒ  開口
２１２Ｌ  扉
２１３Ｌ  取手
２１４Ｌ  開口
２２０  底壁
２２１Ｒ  底壁右部
２２１Ｌ  底壁左部
２２２  搬出口
２３０  側壁
２３１Ｆ  前面部
２３１Ｂ  後面部
２３１Ｂ１  レール
２３２  第２吊具
２３２Ｆ  第２吊具
２３２Ｆ１  環状部
２３２Ｂ  第２吊具
２３２Ｂ１  環状部
２４０  開閉機構
２４１ＢＲ  後右連結棒
２４１ＢＬ  後左連結棒
２４１ＦＲ  前右連結棒
３００  フォークリフト
３１０  フォーク
３２０  リフトブラケット
【図１】
2020114761.tif 000003
【図２】
2020114761.tif 000004
【図３】
2020114761.tif 000005
【図４】
2020114761.tif 000006
【図５】
2020114761.tif 000007
【図６】
2020114761.tif 000008
【図７】
2020114761.tif 000009
【図８】
2020114761.tif 000010